(57)【特許請求の範囲】
【請求項１】
前面板、後面板、及び底面板からなる軒樋本体の前面板と後面板のそれぞれ上端部に内方又は外方へ向けて突出する前耳と後耳を備え、前記前面板、後面板、底面板の内周面を内継手の外周面に当接させて一対の軒樋端部を連結する軒樋の連結構造であって、
前記内継手は、当該内継手の前面板と後面板を連結する連結材を備え、前記一対の軒樋端部の前記前耳と前記後耳に前記内継手の前面板と後面板の上端部を下方に押付ける係止手段をそれぞれ備え、
前記後耳に係止する係止手段は、一方の側面に押付部を有するとともに他方の側面に斜辺を有する略Ｕ字状をしており、前記斜辺を前記後耳に引っ掛けて当該後耳に係止した際に、前記押付部が前記内継手の後面板の上端部と前記連結材とを同時に下方に押付けることを特徴とする軒樋の連結構造。
【請求項２】
請求項１に記載の軒樋の連結構造であって、前記前面板、後面板、底面板の内周面と前記内継手の外周面との間にパッキン材が宛がわれることを特徴とする軒樋の連結構造。
【発明の詳細な説明】
【技術分野】
【０００１】
本発明は、建築物の軒先に取付けられる軒樋の連結構造に関し、詳しくは、軒樋と内継手との密着度が向上する軒樋の連結構造に関する。
【背景技術】
【０００２】
従来、軒樋本体を長手方向に連結するときには、両方の軒樋本体の端部同士を突き合わせ、その軒樋本体の内周面に略当接するような当接片を有する合成樹脂材料製の内継手が接着剤を介して装着されていた。
【０００３】
この場合、軒樋本体内側の内継手が連結機能を有していても、その外周面と軒樋本体の内周面が全周に亘って密着せず、且つ、接着剤の塗布にバラツキがあるので、連結部分から雨水の漏れが生じることがあった。
【０００４】
このために、軒樋本体の内周面に装着する内継手に加えて、外周面に略当接し軒樋本体の前耳及び後耳に係合する前耳係合部及び後耳係合部を有する外継手が接着剤を介して装着されていた。ところが、この方法では連結部分の外継手が大きく露出すので外観性に劣るという問題があった。
【０００５】
この問題を解決する方法が特許文献１に開示されている。図５に示すように、特許文献１の軒樋の連結構造は、前耳２及び後耳３が形成された一対の軒樋本体１、１が長手方向に互いの端部を突き合わせた状態で配設され、軒樋本体１、１の間に跨がって軒樋本体１の内周面に沿うように内継手４が装着される。
【０００６】
係止手段５は後耳３を冠着する開口溝５ａを備え、開口溝５ａの上部には係合溝６が形成され、この係合溝６を介して軒樋本体の後面板４ａの上端部４ｂと後耳３が保持される。
【特許文献１】特開２００４−１７６３７７号公報
【発明の開示】
【発明が解決しようとする課題】
【０００７】
ところが、前記内継手４の構成では、係合溝６を介して軒樋本体の後面板４ａの上端部４ｂと後耳３が保持されるだけなので、軒樋本体の形状誤差により前記内継手４の外周面を軒樋本体１の内周面全周に亘って均等に確実に当接させることは難しく、且つ、接着剤の塗布のバラツキにより、連結部分からの水漏れが発生することがあった。そこで、本発明はかかる従来技術の問題に鑑みなされたものであって、内継手を用いて密着性を向上させ連結部分からの水漏れを確実に防止できる軒樋の連結構造を提供することを目的とする。
【課題を解決するための手段】
【０００８】
請求項１の発明は、前面板、後面板、及び底面板からなる軒樋本体の前面板と後面板のそれぞれ上端部に内方又は外方へ向けて突出する前耳と後耳を備え、前記前面板、後面板、底面板の内周面を内継手の外周面に当接させて一対の軒樋端部を連結する軒樋の連結構造であって、前記内継手は、当該内継手の前面板と後面板を連結する連結材を備え、前記一対の軒樋端部の前記前耳と前記後耳に前記内継手の前面板と後面板の上端部を下方に押付ける係止手段をそれぞれ備え、前記後耳に係止する係止手段は、一方の側面に押付部を有するとともに他方の側面に斜辺を有する略Ｕ字状をしており、前記斜辺を前記後耳に引っ掛けて当該後耳に係止した際に、前記押付部が前記内継手の後面板の上端部と前記連結材とを同時に下方に押付けることを特徴としている。
【００１０】
請求項２の発明は、請求項１に記載の軒樋の連結構造であって、前記前面板、後面板、底面板の内周面と前記内継手の外周面との間にパッキン材が宛がわれることを特徴としている。
【発明の効果】
【００１１】
請求項１記載の発明によれば、前面板、後面板、及び底面板からなる軒樋本体の前面板と後面板のそれぞれ上端部に内方又は外方へ向けて突出する前耳と後耳を備え、前記前面板、後面板、底面板の内周面を内継手の外周面に当接させて一対の軒樋端部を連結する軒樋の連結構造であって、前記内継手は前記前面板と前記後面板を連結する連結材を備え、前記一対の軒樋端部の前記前耳と前記後耳に前記内継手の前面板と後面板の上端部を下方に押付ける係止手段をそれぞれ備えるので、前記内継手は連結材によって剛性が高くなるため前記内継手を係止手段によってそれぞれの軒樋端部の内周面全周に亘って確実に押付けることができる。
【００１２】
このため、軒樋の形状誤差があっても連結部分の隙間がなくなり密着性が向上して止水機能が向上するので水漏れが無くなる。そして、内継手のみが用いられるので軒樋の連結部分の外観性を向上することができる。
【００１３】
また、前記後耳に係止する係止手段は前記後面板の上端部と前記連結材とを同時に下方に押付ける係止手段であるので、押付け力が前記後面板そのものを下方に押付けるとともに前記連結材を介して押付け力は軒樋端部の前面板、後面板、底面板の内周面まで確実に伝わるので、前記内継手が軒樋の内周面全周に亘って確実に当接できる。
【００１４】
請求項２記載の発明によれば、前記軒樋の前記前面板、後面板、底面板の内周面と前記内継手の外周面との間にパッキン材が宛がわれるので、さらに確実に前記内継手をそれぞれの軒樋端部の内周面全周に亘って密着して押付けることができる。このため、請求項１と同様の効果が得られる。
【発明を実施するための最良の形態】
【００１５】
＜軒樋の連結構造の構成＞
以下に、本発明の実施形態を図１〜図４に基づいて説明する。
【００１６】
図１、図２、図３、図４に示すように、軒樋の連結構造７における軒樋１０は前面板１１、後面板１２、及び底面板１３からなる軒樋本体１０ａからなり、前面板１１と後面板１２のそれぞれ上端部１１ａ、１２ａに内方、外方へ向けて突出する前耳１４と後耳１５を備える。そして、一対の軒樋端部１７（軒樋１０が実際に連結される部分）である前面板１１、後面板１２、底面板１３の内周面１０ｂ（１１ｂ、１２ｂ、１３ｂ）に内継手１６を当接させて連結される。
【００１７】
内継手１６の外周面１６ａの形状は、軒樋１０の前面板１１の前耳１４に当接する垂直板１６ｂ近傍を除いて軒樋本体１０ａの内周面１０ｂの形状とまったく同じ形状の前面板２１、後面板２２、及び底面板２３からなり、後面板２２の上端部６２は後耳１５に達しない高さ位置に留める。左右方向の幅Ｓは一対の軒樋１０、１０の連結に必要な幅Ｓであり、それぞれの軒樋端部１７の連結幅Ｓ１とすると、Ｓ＝Ｓ１×２である。
【００１８】
垂直板１６ｂの先端には内継手１６を取扱う際に掴みやすいように掴み部１１ｃを備える。
【００１９】
内継手１６の上部には軒樋１０の後面板２２における後耳１５の下端部近傍である位置２２ａから内継手１６の底面板２３と平行に前面板２１と交わる位置２１ａにかけて連結材２５を備える。
【００２０】
この連結材２５の形状は両端部２５ａが内継手１６の前面板２１と後面板２２の幅Ｓと同じ幅Ｓに形成されるとともに中央部２５ｂの両端部２５ｃ間の幅Ｓ２は台形状の抉り部２５ｄによって幅狭（Ｓ２＜Ｓ）に形成され、さらに中央部２５ｂの内部領域２５ｅは両端部２５ｃのそれぞれの抉り部２５ｄを結合した形状で開口されている。ここで、２分割された中央部２５ｂのそれぞれの中心線をＰ１、Ｐ２とする。
【００２１】
連結材２５の中央部２５ｂを幅狭にする目的は中央部２５ｂを少し撓み易くして発生する弾性力を前面板２１を前面板１１に、後面板２２を後面板１２に当接させる力として寄与させるためである。さらに、撓み易いことにより連結材２５の軒樋１０への装着作業も容易にできる。
【００２２】
内継手１６は、内継手１６の幅方向の中心線Ｐが一対の軒樋１０、１０の端面２４の位置に合致するように位置決めされる。
【００２３】
一対の軒樋端部１７の前耳１４と後耳１５に、内継手１６の前面板２１と後面板２２の上端部６１、６２を下方に押付ける係止手段６３、６４をそれぞれ２組備える。
【００２４】
前耳１４に係止する係止手段６３は断面が幅Ｔ１のＳ字形で軒樋端部１７の連結幅Ｓ１との関係は、Ｓ１＞Ｔ１に形成される。Ｓ字形の下部湾曲部６３ａを軒樋１０の前耳１４に引掛け、上部湾曲部６３ｂを内継手１６の上端部６１に引掛けることで、内継手１６の前面板２１を下方に押付けて係止することができる。
【００２５】
後耳１５に係止する幅Ｔ２の係止手段６４は断面が略Ｕ字形（上下逆の略Ｕ字形）で、軒樋端部１７の連結幅Ｓ１との関係は、Ｓ１＞Ｔ２に形成される。
【００２６】
より詳しくは、この略Ｕ字形は、軒樋１０の後耳１５を隙間無く包むように、一方の側面６４ａが底面６４ｂと直角に連結し他方の側面６４ｃは斜面６４ｄを介して底面６４ｂに連結する断面形状である。そして、一方の側面６４ａの先端部外側６４ｆには、垂直片６５ａと水平片６５ｂがＬ字状に連結してなる押付部６５を備える。他方の側面６４ｃの先端部６４ｇには、軒樋１０の後耳１５の下部突起部１５ａに引掛けるための斜片６６が略４５度の角度で設けられる。
【００２７】
このため、係止手段６４の斜片６６を後耳１５の下部突起部１５ａに引掛けて後耳１５に係止することによりその係止力が押付部６５を介して、一方の側面６４ａの先端部６４ｈにより内継手１６の後面板２２の上端部６２を下方に押付けることができる。さらに、水平片６５ｂにより連結材２５を下方に押付けることができるので、位置２２ａ廻りに曲げモーメントＭが発生する。なお、２組の係止手段６４は内継手１６の中央部２５ｂのそれぞれの中心線Ｐ１、Ｐ２と係止手段６４の中心線Ｐ３が合致するようにそれぞれ配置されている。
【００２８】
さらに、軒樋１０の前面板１１、後面板１２、底面板１３の内周面１０ｂ（１１ｂ、１２ｂ、１３ｂ）と内継手１６の外周面１６ａとの間にパッキン材或いは強力ブチルテープ３６が内継手１６の両側近傍にそれぞれ貼り付けられる。
【００２９】
軒樋と内継手及び係止手段６４の材質は、ステンレスや亜鉛メッキをした金属、あるいは軽量化や耐腐食性を考慮して例えば硬質塩化ビニール樹脂等の合成樹脂材料、或いは、金属板の両面に合成樹脂材料を被覆して形成される。
【００３０】
＜軒樋の連結構造の作用＞
上記のように、前耳１４に係止する係止手段６３は断面がＳ字形でＳ字形の下部湾曲部６３ａを軒樋１０の前耳１４に引掛け、上部湾曲部６３ｂを内継手１６の上端部６１に引掛けることで、内継手１６の前面板２１を下方に押付けて係止することができる。
【００３１】
そして、後耳１５に係止する係止手段６４は断面が略Ｕ字形（上下逆の略Ｕ字形）で、この略Ｕ字形の一方の側面６４ａの先端部外側６４ｆには、垂直片６５ａと水平片６５ｂがＬ字状に連結してなる押付部６５を備えている。
【００３２】
係止手段６４の斜片６６を後耳１５の下部突起部１５ａに引掛けて後耳１５に係止することにより、その係止力が押付部６５を介して内継手１６の後面板２２を上端部６２から下方に確実に押付けることができる。
【００３３】
さらに、係止手段６４の押付部６５が連結材２５を下方に押付ける力は、連結材２５として働くので、前面板２１を前面板１１に、底面板２３を底面板１３に、後面板２２を後面板１２に当接させる力が生じる。このように、軒樋端部１７全域（前面板１１、後面板１２、底面板１３）に力が掛かるので確実に安定して水漏れを防止することができる。
【００３４】
また、上記、軒樋１０の内周面１０ｂ（１１ｂ、１２ｂ、１３ｂ）と内継手１６の外周面１６ａとの間に設けられるパッキン材或いは強力ブチルテープ３６は、一対の軒樋端部１７に対応して内継手１６の両側部にそれぞれ貼り付けられるので、さらに確実に水漏れが防止できる。
【００３５】
以上、本発明の実施形態を図面に基づいて説明したが、上記の実施例はいずれも本発明の一例を示したものであり、本発明はこれらに限定されるべきでないということは言うまでもない。
【図面の簡単な説明】
【００３６】
【図１】本発明の実施形態における軒樋の連結構造の状態を示す断面図である。
【図２】本発明の実施形態における軒樋の連結構造の分解断面斜視図である。
【図３】本発明の第１の実施形態における、係止手段６４の断面図である。
【図４】本発明の第１の実施形態における、図３のＡ−Ａ矢視図である。
【図５】従来の軒樋の連結構造の状態を示す断面図である。
【符号の説明】
【００３７】
７  軒樋の連結構造
１０  軒樋
１０ａ  軒樋本体
１０ｂ  内周面
１１  前面板
１２  後面板
１３  底面板
１４  前耳
１５  後耳
１６  内継手
１６ａ  外周面
１７  軒樋端部
２１  前面板
２１ａ  位置
２２  後面板
２３  底面板
２５  連結材
６１  上端部
６２  上端部
６３  係止手段
６４  係止手段
６４ａ  一方の側面
６４ｆ  先端部外側
６５  押付部
６５ａ  垂直片
６５ｂ  水平片
【図１】
0004692215.tif 000002
【図２】
0004692215.tif 000003
【図３】
0004692215.tif 000004
【図４】
0004692215.tif 000005
【図５】
0004692215.tif 000006